【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
予め定められた業務を実行する少なくとも１つの業務実行部と、操作に応じて前記業務実行部を起動させるランチャー部と、前記業務実行部の起動後の動作画面及び前記ランチャー部の動作画面とを各々表示するディスプレイ部と、を有する端末の動作状態を監視装置によってネットワークを介して監視する端末監視方法であって、
前記監視装置の前記端末に対する監視状態が変化したときにその変化後の監視状態を示す監視情報を生成する情報管理ステップと、
前記情報管理ステップで生成された前記監視情報を前記ネットワークを介して前記ランチャー部に送信する送信ステップと、
前記業務実行部が起動して動作中にあることを記憶する記憶ステップと、
前記ランチャー部において前記監視情報を受信する受信ステップと、
前記業務実行部が動作中にあるときには前記ランチャー部において当該受信した前記監視情報を前記業務実行部に供給するステップと、
前記受信した前記監視情報を前記ランチャー部の動作画面内に表示させるステップと、
前記ランチャー部から供給された前記監視情報を前記業務実行部の動作画面内に表示させるステップと、を含むことを特徴とする端末監視方法。
【請求項２】
前記ランチャー部において前記ランチャー部の起動時に第１接続要求を前記監視装置に前記ネットワークを介して送信するステップと、
前記監視装置において前記第１接続要求の受信に応じて前記ランチャー部のアドレスを記憶するステップと、
前記接続要求の受信時点の前記監視情報を前記ネットワークを介して前記ランチャー部に送信するステップと、を更に含むことを特徴とする請求項１記載の端末監視方法。
【請求項３】
前記業務実行部において前記業務実行部の起動時に第２接続要求を前記ランチャー部に送信するステップと、
前記ランチャー部において前記第２接続要求を受信するステップと、を更に含み、
前記記憶ステップでは前記ランチャー部において前記第２接続要求の受信に応じて前記業務実行部が動作中にあることを記憶することを特徴とする請求項２記載の端末監視方法。
【請求項４】
前記ランチャー部は前記ランチャー部の動作画面を表示するランチャー用のウェブブラウザを有し、前記ランチャー用のウェブブラウザのアプレットの実行により前記第１接続要求を送信し、前記業務実行部は前記業務実行部の動作画面を表示する業務用のウェブブラウザを有し、前記業務用のウェブブラウザのアプレットの実行により前記第２接続要求を送信することを特徴とする請求項３記載の端末監視方法。
【請求項５】
前記ランチャー部は前記ランチャー用のウェブブラウザのアプレットの実行により前記第２接続要求を受信するための接続要求受付部をスレッド生成することを特徴とする請求項４記載の端末監視方法。
【請求項６】
予め定められた業務を実行する少なくとも１つの業務実行部と、操作に応じて前記業務実行部を起動させるランチャー部と、前記業務実行部の起動後の動作画面及び前記ランチャー部の動作画面とを各々表示するディスプレイ部と、を有する端末の動作状態を監視装置によってネットワークを介して監視する端末監視システムであって、
前記監視装置は、
前記端末に対する監視状態が変化したときにその変化後の監視状態を示す監視情報を生成する手段と、
前記情報管理手段で生成された前記監視情報を前記ネットワークを介して前記ランチャー部に送信する手段と、備え、
前記端末は、
前記業務実行部が起動して動作中にあることを記憶する記憶手段と、
前記ランチャー部において前記監視情報を受信する手段と、
前記業務実行部が動作中にあるときには前記ランチャー部において当該受信した前記監視情報を前記業務実行部に供給する手段と、
前記受信した前記監視情報を前記ランチャー部の動作画面内に表示させる手段と、
前記ランチャー部から供給された前記監視情報を前記業務実行部の動作画面内に表示させる手段と、を備えることを特徴とする端末監視システム。
【請求項７】
前記端末は、前記ランチャー部の起動時に第１接続要求を前記監視装置に前記ネットワークを介して送信する手段を更に含み、
前記監視装置は、前記第１接続要求の受信に応じて前記ランチャー部のアドレスを記憶する手段と、
前記接続要求の受信時点の前記監視情報を前記ネットワークを介して前記ランチャー部に送信する手段と、を更に含むことを特徴とする請求項６記載の端末監視システム。
【請求項８】
前記端末は、前記業務実行部の起動時に第２接続要求を前記ランチャー部に送信する手段と、
前記ランチャー部において前記第２接続要求を受信する手段と、を更に含み、
前記記憶手段は前記ランチャー部において前記第２接続要求の受信に応じて前記業務実行部が動作中にあることを記憶することを特徴とする請求項７記載の端末監視システム。
【請求項９】
前記ランチャー部は前記ランチャー部の動作画面を表示するランチャー用のウェブブラウザを有し、前記ランチャー用のウェブブラウザのアプレットの実行により前記第１接続要求を送信し、前記業務実行部は前記業務実行部の動作画面を表示する業務用のウェブブラウザを有し、前記業務用のウェブブラウザのアプレットの実行により前記第２接続要求を送信することを特徴とする請求項８記載の端末監視システム。
【請求項１０】
前記ランチャー部は前記ランチャー用のウェブブラウザのアプレットの実行により前記第２接続要求を受信するための接続要求受付部をスレッド生成することを特徴とする請求項９記載の端末監視システム。
【請求項１１】
予め定められた業務を実行する少なくとも１つの業務実行部と、操作に応じて前記業務実行部を起動させるランチャー部と、前記業務実行部の起動後の動作画面及び前記ランチャー部の動作画面とを各々表示するディスプレイ部と、を有し、監視装置によってネットワークを介して監視される端末であって、
前記業務実行部が起動して動作中にあることを記憶する記憶手段と、
前記監視装置から送信された監視情報を前記ネットワークを介して前記ランチャー部において受信する手段と、
前記業務実行部が動作中にあるときには前記ランチャー部において当該受信した前記監視情報を前記業務実行部に供給する手段と、
前記受信した前記監視情報を前記ランチャー部の動作画面内に表示させる手段と、
前記ランチャー部から供給された前記監視情報を前記業務実行部の動作画面内に表示させる手段と、を備えることを特徴とする端末。
【手続補正２】
【補正対象書類名】明細書
【補正対象項目名】発明の名称
【補正方法】変更
【補正の内容】
【発明の名称】端末監視方法、端末監視システム及び端末
【手続補正３】
【補正対象書類名】明細書
【補正対象項目名】０００１
【補正方法】変更
【補正の内容】
【０００１】
本発明は、ネットワークに存在する端末の動作状態を監視装置によって監視する端末監視方法、端末監視システム及び端末に関する。
【手続補正４】
【補正対象書類名】明細書
【補正対象項目名】０００９
【補正方法】変更
【補正の内容】
【０００９】
そこで、本発明の目的は、端末における各動作画面内の監視情報表示の更新の時間差の減少と、監視装置のリソース量及びネットワークの通信量の軽減とを図りつつ監視装置の監視情報を端末に提供することができる端末監視方法、端末監視システム及び端末を提供することである。
【手続補正５】
【補正対象書類名】明細書
【補正対象項目名】００１０
【補正方法】変更
【補正の内容】
【００１０】
本発明の端末監視方法は、予め定められた業務を実行する少なくとも１つの業務実行部と、操作に応じて前記業務実行部を起動させるランチャー部と、前記業務実行部の起動後の動作画面及び前記ランチャー部の動作画面とを各々表示するディスプレイ部と、を有する端末の動作状態を監視装置によってネットワークを介して監視する端末監視方法であって、前記監視装置の前記端末に対する監視状態が変化したときにその変化後の監視状態を示す監視情報を生成する情報管理ステップと、前記情報管理ステップで生成された前記監視情報を前記ネットワークを介して前記ランチャー部に送信する送信ステップと、前記業務実行部が起動して動作中にあることを記憶する記憶ステップと、前記ランチャー部において前記監視情報を受信する受信ステップと、前記業務実行部が動作中にあるときには前記ランチャー部において当該受信した前記監視情報を前記業務実行部に供給するステップと、前記受信した前記監視情報を前記ランチャー部の動作画面内に表示させるステップと、前記ランチャー部から供給された前記監視情報を前記業務実行部の動作画面内に表示させるステップと、を含むことを特徴としている。
本発明の端末監視システムは、予め定められた業務を実行する少なくとも１つの業務実行部と、操作に応じて前記業務実行部を起動させるランチャー部と、前記業務実行部の起動後の動作画面及び前記ランチャー部の動作画面とを各々表示するディスプレイ部と、を有する端末の動作状態を監視装置によってネットワークを介して監視する端末監視システムであって、前記監視装置は、前記端末に対する監視状態が変化したときにその変化後の監視状態を示す監視情報を生成する手段と、前記情報管理手段で生成された前記監視情報を前記ネットワークを介して前記ランチャー部に送信する手段と、備え、前記端末は、前記業務実行部が起動して動作中にあることを記憶する記憶手段と、前記ランチャー部において前記監視情報を受信する手段と、前記業務実行部が動作中にあるときには前記ランチャー部において当該受信した前記監視情報を前記業務実行部に供給する手段と、前記受信した前記監視情報を前記ランチャー部の動作画面内に表示させる手段と、前記ランチャー部から供給された前記監視情報を前記業務実行部の動作画面内に表示させる手段と、を備えることを特徴としている。
本発明の端末は、予め定められた業務を実行する少なくとも１つの業務実行部と、操作に応じて前記業務実行部を起動させるランチャー部と、前記業務実行部の起動後の動作画面及び前記ランチャー部の動作画面とを各々表示するディスプレイ部と、を有し、監視装置によってネットワークを介して監視される端末であって、前記業務実行部が起動して動作中にあることを記憶する記憶手段と、前記監視装置から送信された監視情報を前記ネットワークを介して前記ランチャー部において受信する手段と、前記業務実行部が動作中にあるときには前記ランチャー部において当該受信した前記監視情報を前記業務実行部に供給する手段と、前記受信した前記監視情報を前記ランチャー部の動作画面内に表示させる手段と、前記ランチャー部から供給された前記監視情報を前記業務実行部の動作画面内に表示させる手段と、を備えることを特徴としている。
【手続補正６】
【補正対象書類名】明細書
【補正対象項目名】００１１
【補正方法】変更
【補正の内容】
【００１１】
本発明の端末監視方法、端末監視システム及び端末によれば、監視装置の監視情報が更新されたときに、その新たな監視情報は同一の端末においてランチャー部に対してのみネットワークを介して送信され、他の業務実行部には監視装置から直接送信されず、ランチャー部が受信した監視情報が供給される。よって、端末のランチャー部の動作画面及び業務実行部の動作画面各々の監視情報表示はほぼ同一タイミングで更新されるので、単一の端末で各動作画面の監視情報が異なって表示される期間を減少させることができる。また、監視装置はランチャー部だけに監視情報を送信する構成を構築すれば良いので、監視装置のリソース量を軽減させることができ、更に、監視装置から業務実行部へはネットワークを利用して監視情報を直接送信する必要がないので、ネットワークの通信量の軽減を図ることができる。